(57)【要約】      （修正有）【課題】所定の箇所を撮像する映像カメラと連動し、郵便物の配達員や宅配便の配達員のようなインターホン子機の呼出スイッチを押下しない正規の来訪者を識別し、不審者が映っていると思われる映像データのみを蓄積していくインターホンシステムを提供する。【解決手段】インターホン親機１は、インターホン子機から人検知情報を受信した場合に、インターホン子機から受信した映像データを映像データ一時記憶部１５に一時的に記憶し、前記人検知情報を受信してから予め定められた時間が経過してもインターホン子機の呼出スイッチが押下されず、かつ郵便／宅配ＢＯＸから収納に係る情報を受信しない場合には、予め定められた映像保存条件に従って、映像データ一時記憶部１５に一時的に記憶した一部または全ての映像データを映像データ保存部１６に保存する。【選択図】図２
2017169157.tif 000002
【特許請求の範囲】
【請求項１】
自インターホン子機が備える呼出スイッチを押下する者およびまたは自インターホン子機の周辺を撮像する映像カメラを備える１以上のインターホン子機と、前記インターホン子機を収容するインターホン親機と、所定の郵便箱への郵便物の収納または所定の収納箱への配達物の収納を所定の宛先へ通知する収納通知装置と、を含むインターホンシステムであって、
前記インターホン子機は、自インターホン子機の近傍における人の存在を検知する人検知手段と、前記映像カメラが撮像した映像データを前記インターホン親機へ送信する映像データ送信手段と、を有し、前記人検知手段が人の存在を検知した場合に、前記呼出スイッチが押下されたか否かに関わらず、前記映像カメラを起動し、前記映像カメラが撮像した映像データを前記インターホン親機へ送信し、
前記収納通知装置は、郵便物または配達物の収納を検知する収納検知手段と、前記検知した収納に係る情報を前記インターホン親機へ送信する収納情報送信手段と、を有し、
前記インターホン親機は、前記インターホン子機から映像データを受信する映像データ受信手段と、前記受信した映像データを一時的に記憶する映像一時記憶手段と、前記一時的に記憶した映像データの一部または全てを長期的に保存する映像保存手段と、前記収納通知装置から前記検知した収納に係る情報を受信する収納情報受信手段と、を有し、前記映像データの受信を開始した場合に、前記映像一時記憶手段は前記受信した映像データを一時的に記憶し、前記人検知情報を受信してから予め定められた時間が経過しても、前記呼出スイッチが押下されず、かつ前記収納に係る情報を受信しないならば、前記映像保存手段は前記一時的に記憶した映像データの一部または全てを保存することを特徴とする人検知映像保存機能を有するインターホンシステム。
【請求項２】
請求項１に記載のインターホンシステムにおいて、
前記インターホン子機は、前記映像カメラが撮像するエリアを制御する撮像エリア制御手段をさらに有し、前記人検知手段が人の存在を検知した場合に予め定められた特定の監視エリアを撮像し、前記呼出スイッチが押下された場合に前記呼出スイッチを押下した者を撮像するように制御することを特徴とする人検知映像保存機能を有するインターホンシステム。
【請求項３】
１以上のインターホン子機と、前記インターホン子機を収容する前記インターホン親機と、所定の郵便箱への郵便物の収納または所定の収納箱への配達物の収納を所定の宛先へ通知する収納通知装置と、を含み、所定の箇所を撮像する１以上の監視映像カメラと連動するインターホンシステムであって、
前記インターホン子機は、自インターホン子機の近傍における人の存在を検知する人検知手段と、前記検知した人の存在に係る人検知情報を前記インターホン親機へ送信する人検知情報送信手段と、を有し、前記人検知手段が人の存在を検知した場合に、自インターホン子機が備える呼出スイッチが押下されたか否かに関わらず、前記人検知情報を前記インターホン親機へ送信し、
前記収納通知装置は、郵便物およびまたは配達物の収納を検知する収納検知手段と、前記検知した収納に係る情報を前記インターホン親機へ送信する収納情報送信手段と、を有し、
前記インターホン親機は、前記インターホン子機から前記人検知情報を受信する人検知情報受信手段と、前記監視映像カメラが撮像した映像データを受信する映像データ受信手段と、前記受信した映像データを一時的に記憶する映像一時記憶手段と、前記一時的に記憶した映像データの一部または全てを長期的に保存する映像保存手段と、前記収納通知装置から前記検知した収納に係る情報を受信する収納情報受信手段と、を有し、前記人検知情報を受信した場合に、前記映像一時記憶手段は前記映像カメラから受信した映像データを一時的に記憶し、前記人検知情報を受信してから予め定められた時間が経過しても、前記呼出スイッチが押下されず、かつ前記収納に係る情報を受信しないならば、前記映像保存手段は前記一時的に記憶した映像データの一部または全てを保存することを特徴とする人検知映像保存機能を有するインターホンシステム。
【発明の詳細な説明】
【技術分野】
【０００１】
本発明は、所定の箇所を撮像する映像カメラと連動し、不審者が映っていると思われる映像データのみを蓄積していくインターホンシステムに関する。
【背景技術】
【０００２】
近接画像を撮影するための映像カメラを具備したインターホン子機と、人物を検知する人検知センサの検知出力に応じて人物を含む広い範囲の監視画像を撮影するための監視カメラを具備した屋外監視機と、インターホン子機を収容するインターホン親機と、から構成さるインターホンシステムに関する技術がある（例えば特許文献１）。
【０００３】
この特許文献１に記載の技術は、インターホン子機が撮影した近接画像と屋外監視機が撮影した監視画像の内、必要な画像のみをインターホン親機に保存し、限られた記憶容量のメモリを有効に使用するものである。
【０００４】
しかしながら、この技術は、インターホン子機の近傍に屋外監視機が設置されていることを前提とし、人検知センサの検知出力に応じて屋外監視機が撮影した画像のみをインターホン親機に保存することにより、インターホン親機の限られた記憶容量のメモリを有効に使用するものであるが、人検知センサが検知した者が不審者であるとは限らない。特に、郵便物の配達員はインターホン子機の呼出スイッチを押下せずに、郵便物を郵便受けに投入する。また、宅配便の受取箱があれば、宅配便の配達員も呼出スイッチを押下しない。即ち、特許文献１に記載の技術では、不審者が映っていると思われる画像とともに、上記、郵便物の配達員や宅配便の配達員のような呼出スイッチを押下しない正規の来訪者の画像もインターホン親機の限られた記憶容量のメモリ内に保存される。そのため、呼出スイッチを押下しない正規の来訪者の画像が繰り返し保存されることにより、不審者が映っていると思われる肝心の画像が早期に消滅してしまうことが懸念される。また、不審者が映っていると思われる画像と呼出スイッチを押下しない正規の来訪者の画像が混在して保存されるので、不審者が映っていると思われる映像データを確認するのに余分な手間がかかる。
【先行技術文献】
【特許文献】
【０００５】
【特許文献１】特開２００３−３４８５７２
【発明の概要】
【発明が解決しようとする課題】
【０００６】
そこで、本発明の課題は、所定の箇所を撮像する映像カメラと連動し、郵便物の配達員や宅配便の配達員のようなインターホン子機の呼出スイッチを押下しない正規の来訪者を識別し、不審者が映っていると思われる映像データのみを蓄積していくインターホンシステムを提供することにある。
【課題を解決するための手段】
【０００７】
上記課題を解決するために、第１の発明は、自インターホン子機が備える呼出スイッチを押下する者およびまたは自インターホン子機の周辺を撮像する映像カメラを備える１以上のインターホン子機と、前記インターホン子機を収容するインターホン親機と、所定の郵便箱への郵便物の収納または所定の収納箱への配達物の収納を所定の宛先へ通知する収納通知装置と、を含むインターホンシステムであって、前記インターホン子機は、自インターホン子機の近傍における人の存在を検知する人検知手段と、前記映像カメラが撮像した映像データを前記インターホン親機へ送信する映像データ送信手段と、を有し、前記人検知手段が人の存在を検知した場合に、前記呼出スイッチが押下されたか否かに関わらず、前記映像カメラを起動し、前記映像カメラが撮像した映像データを前記インターホン親機へ送信し、前記収納通知装置は、郵便物または配達物の収納を検知する収納検知手段と、前記検知した収納に係る情報を前記インターホン親機へ送信する収納情報送信手段と、を有し、前記インターホン親機は、前記インターホン子機から映像データを受信する映像データ受信手段と、前記受信した映像データを一時的に記憶する映像一時記憶手段と、前記一時的に記憶した映像データの一部または全てを長期的に保存する映像保存手段と、前記収納通知装置から前記検知した収納に係る情報を受信する収納情報受信手段と、を有し、前記映像データの受信を開始した場合に、前記映像一時記憶手段は前記受信した映像データを一時的に記憶し、前記人検知情報を受信してから予め定められた時間が経過しても、前記呼出スイッチが押下されず、かつ前記収納に係る情報を受信しないならば、前記映像保存手段は前記一時的に記憶した映像データの一部または全てを保存することを特徴とする。
【０００８】
また、第２の発明は、１以上のインターホン子機と、前記インターホン子機を収容する前記インターホン親機と、所定の郵便箱への郵便物の収納または所定の収納箱への配達物の収納を所定の宛先へ通知する収納通知装置と、を含み、所定の箇所を撮像する１以上の監視映像カメラと連動するインターホンシステムであって、前記インターホン子機は、自インターホン子機の近傍における人の存在を検知する人検知手段と、前記検知した人の存在に係る人検知情報を前記インターホン親機へ送信する人検知情報送信手段と、を有し、前記人検知手段が人の存在を検知した場合に、自インターホン子機が備える呼出スイッチが押下されたか否かに関わらず、前記人検知情報を前記インターホン親機へ送信し、前記収納通知装置は、郵便物およびまたは配達物の収納を検知する収納検知手段と、前記検知した収納に係る情報を前記インターホン親機へ送信する収納情報送信手段と、を有し、前記インターホン親機は、前記インターホン子機から前記人検知情報を受信する人検知情報受信手段と、前記監視映像カメラが撮像した映像データを受信する映像データ受信手段と、前記受信した映像データを一時的に記憶する映像一時記憶手段と、前記一時的に記憶した映像データの一部または全てを長期的に保存する映像保存手段と、前記収納通知装置から前記検知した収納に係る情報を受信する収納情報受信手段と、を有し、前記人検知情報を受信した場合に、前記映像一時記憶手段は前記映像カメラから受信した映像データを一時的に記憶し、前記人検知情報を受信してから予め定められた時間が経過しても、前記呼出スイッチが押下されず、かつ前記収納に係る情報を受信しないならば、前記映像保存手段は前記一時的に記憶した映像データの一部または全てを保存することを特徴とする。
【発明の効果】
【０００９】
本発明によれば、所定の箇所を撮像する映像カメラと連動し、郵便物の配達員や宅配便の配達員のようなインターホン子機の呼出スイッチを押下しない正規の来訪者を識別し、不審者が映っていると思われる映像データのみを蓄積していくインターホンシステムを提供することができる。これにより、限られた記憶容量を有効に活用できると共に、不審者が映っていると思われる映像データの検索が効率的になる。
【図面の簡単な説明】
【００１０】
【図１】本発明の実施形態に係る全体構成図である。
【図２】本発明のインターホン親機１の内部ブロック構成図である。
【図３】本発明のインターホン子機２の内部ブロック構成図である。
【図４】本発明の郵便／宅配ＢＯＸ５の内部ブロック構成図である。
【図５】本発明のインターホン親機１の動作フローチャートである。
【図６】本発明のインターホン子機２の動作フローチャートである。
【発明を実施するための形態】
【００１１】
以下、本発明の実施形態について、図面を用いて説明する。図１は、本発明の実施形態に係る全体構成図であって、１はインターホン子機２および映像カメラ４から受信した映像データの処理を実行するインターホン親機、２は人が存在しているか否かを検知する人検知手段を具備し、前記検知した人の存在に係る人検知情報を前記インターホン親機１へ送信するインターホン子機、３はインターホン親機１と連動し、インターホン子機２、映像カメラ４、映像カメラ７が撮像した映像データの収集、表示を行う監視映像収集表示装置、４はインターホン子機２および郵便／宅配ＢＯＸ５の近傍を撮像する映像カメラ、５は郵便物の収納または配達物の収納を検知する収納検知手段を具備し、前記検知した収納に係る情報を前記インターホン親機１へ送信する郵便／宅配ＢＯＸ、６はＷＡＮを介して接続されている装置（例えば、管理用パソコンやスマートホン。図示せず。）とが送受信する映像データや制御データを中継するゲートウェイ、７はインターホン子機２および郵便／宅配ＢＯＸ５の近傍以外の各所を撮像する映像カメラ（各所監視）である。
【００１２】
なお、本実施例において、インターホン子機２は、映像カメラを内蔵しているものとして説明しているが、その限りではない。例えば、映像カメラ４を複数のインターホン子機２が共用する方式であってもよい。また、本実施例において、説明を簡単化するために、インターホン子機２を１台、映像カメラ４を１台として説明しているが、各機器の台数は任意である。
【００１３】
インターホン親機１は、例えば、自インターホン親機１の管理者が存在する室内に設置され、インターホン子機２から呼出信号を受信した場合に、呼出音を鳴動してインターホン親機１の管理者を呼出し、管理者が応答したならば、呼出信号を送信してきたインターホン子機２との間で通話が可能となるように、所定の通話回路を制御する。この通話機能は一般的なので、通話処理に係わる詳細説明は割愛する。
【００１４】
また、インターホン親機１は、インターホン子機２から人検知情報を受信した場合、映像カメラ４から受信した映像データを映像データ一時記憶部１５に一時的に記憶し、前記人検知情報を受信してから予め定められた時間が経過しても、インターホン子機２の呼出スイッチが押下されず、かつ郵便／宅配ＢＯＸ５から収納に係る情報を受信しない場合には、予め定められた映像保存条件に従って、一時的に記憶した一部または全ての映像データを保存する。映像保存条件としては、例えば、前記人検知情報を受信してから予め定められた時間が経過しても、インターホン子機２の呼出スイッチが押下されず、かつ郵便／宅配ＢＯＸ５から収納に係る情報を受信しない場合には、映像カメラ４の映像データを保存するといった条件を予め設定しておくことが可能である。
【００１５】
インターホン子機（人検知センサ内蔵／映像カメラ内蔵）２は、例えば、住宅の玄関、施設（例えば、会社、病院）の入り口や施設内の各所に設置され、インターホン親機１を呼び出すための装置である。自インターホン子機２が備える呼出スイッチが押下された場合、自インターホン子機２を収容しているインターホン親機１に対して呼出信号を送信し、インターホン親機１の管理者が応答したならば、所定の通話回路を制御する。この通話機能は一般的なので、通話処理に係わる詳細説明は割愛する。
【００１６】
また、インターホン子機２は、自インターホン子機２の近傍を撮像する映像カメラと、人が存在しているか否かを検知する人検知手段を具備し、前記人検知手段が人の存在を検知した場合には、呼出スイッチが押下されたか否かに関わらず、前記検知した人の存在に係る人検知情報と、前記映像カメラが撮像した映像データをインターホン親機１へ送信する。
【００１７】
監視映像収集表示装置３は、例えば、施設内の防犯を管理する管理室に設置され、インターホン親機１と連動して、施設内の各所に設置されている各映像カメラ（インターホン子機２が内蔵する映像カメラ，映像カメラ４，映像カメラ７）が撮像した映像データの、収集、表示を行うための装置である。なお、監視映像収集表示装置３は、インターホン親機１に内蔵してもよい。
【００１８】
映像カメラ（周辺監視）４は、インターホン子機２および郵便／宅配ＢＯＸ５の近傍に設置され、インターホン親機１からのカメラ制御コマンドに応じて、予め定められた監視エリア、または前記カメラ制御コマンドで指定された撮像エリアを撮像し、前記撮像した映像データをインターホン親機１へ送信する。なお、映像カメラ４は、インターホン子機２に内蔵してもよい。
【００１９】
なお、本実施例において、映像カメラ４を、インターホン子機２および郵便／宅配ＢＯＸ５の近傍を監視するために設置された映像カメラとして説明しているが、その限りではない。例えば、インターホン子機２と郵便／宅配ＢＯＸ５が離れた場所に設置されている場合や、郵便物の収納ＢＯＸと配達物の収納ＢＯＸが離れた場所に設置されている場合には、映像カメラ４を複数台設置してもよい。
【００２０】
郵便／宅配ＢＯＸ（収納センサ内蔵）５は、例えば、住宅の玄関、施設（例えば、会社、病院）のエントランス等に設置され、郵便物の収納または配達物の収納を検知する収納検知手段を具備し、前記検知した収納に係る情報を前記インターホン親機１へ送信する。
【００２１】
ゲートウェイ６は、ＷＡＮとＬＡＮの間でデータを中継するゲートウェイであり、インターホン親機１と、ＷＡＮを介して接続されている装置（例えば、図示しない管理用パソコンやスマートホン）との間で、映像データや制御データを中継する。これにより、インターホン親機１、監視映像収集表示装置３に保存、収集された映像データは、ＷＡＮを介して接続されている装置でも閲覧可能であり、また、ＷＡＮを介して接続されている装置から、インターホン子機２が内蔵する映像カメラ，映像カメラ４，映像カメラ７の撮像エリアを制御することも可能である。
【００２２】
映像カメラ７（各所監視）は、インターホン子機２および郵便／宅配ＢＯＸ５の近傍以外の各所を撮像し、撮像した映像データを監視映像収集表示装置３へ送信する。
【００２３】
図２は、インターホン親機１の内部ブロック構成図である。インターホン親機１は、端末制御部１０、通信制御部１１、操作部１２、通話マイク／スピーカ１３、タイマー１４、映像データ一時記憶部１５、映像データ保存部１６、表示部１７から構成される。
【００２４】
端末制御部１０は、インターホン親機１の制御全般を実行する手段である。端末制御部１０は、インターホン子機２から人検知情報を受信した場合、タイマー１４を起動するとともに、インターホン子機２の呼出スイッチ２４が押下されたか否かに関らず、通信制御部１１がインターホン子機２およびまたは映像カメラ４から受信した映像データを映像データ一時記憶部１５に一時的に記憶するように各部を制御する。
【００２５】
そして、端末制御部１０は、タイマー１４に設定されたタイマー値が満了してもインターホン子機２の呼出スイッチ２４が押下されず、かつ郵便／宅配ＢＯＸ５から収納に係る情報を受信しない場合には、端末制御部１０内に予め定められた映像保存条件に従って、映像データ一時記憶部１５に一時的に記憶した一部または全ての映像データを映像データ保存部１６に保存するとともに、映像データ保存部１６に新規の映像データを保存した旨、即ち不審者が映っていると思われる映像データを新規に保存した旨の通知を、通話マイク／スピーカ１３、表示部１７、監視映像収集表示装置３、ＷＡＮを介して接続されている装置のいずれか、または全てに通知するように各部を制御する。
【００２６】
さらに、インターホン親機１の管理者、監視映像収集表示装置３、ＷＡＮを介して接続されている装置のいずれかから、インターホン子機２が内蔵する映像カメラ２２およびまたは映像カメラ４を制御するカメラ制御コマンドを受信した場合には、当該指定された映像カメラに対して、カメラ制御コマンドを送信するように各部を制御する。
【００２７】
通信制御部１１は、ＬＡＮを介して接続されているインターホン子機２，監視映像収集表示装置３，映像カメラ４，映像カメラ７，郵便／宅配ＢＯＸ５，ゲートウェイ６，ＷＡＮを介して接続されている装置と映像データや制御データを送受信する通信手段である。
【００２８】
操作部１２は、インターホン親機１を操作する手段（例えば、タッチパネル）であり、例えば、インターホン親機１を操作する管理者が、インターホン子機２からの呼出に応答する場合や、インターホン子機２が内蔵する映像カメラ２２およびまたは映像カメラ４，映像カメラ７を制御する場合に操作する。
【００２９】
通話マイク／スピーカ１３は、マイク、スピーカであり、通話処理回路を含み、インターホン親機１を操作する管理者が、インターホン子機２を操作する来訪者と通話する手段である。通話処理に係わる詳細説明は割愛する。
【００３０】
タイマー１４は、一般的な計時手段であって、例えば、インターホン子機２から人検知情報を受信した場合に、所定時間内にインターホン子機２の呼出スイッチ２４が押下されたか否か、または所定時間内に郵便／宅配ＢＯＸ５に郵便物または配達物が収納されたか否かの判定に用いられる。
【００３１】
映像データ一時記憶部１５は、インターホン子機２から人検知情報を受信した端末制御部１０の指示により、インターホン子機２およびまたは映像カメラ４から通信制御部１１を介して受信した映像データを一時的に記憶する手段である。この記憶手段は、例えば、所定の記憶容量（例えば、１週間分の映像データに相当する容量）を有する一般的なメモリ（例えば、ハードディスクメモリ）であり、新しい映像データで古い映像データを上書きする。
【００３２】
映像データ保存部１６は、端末制御部１０の指示により、映像データ一時記憶部１５に一時的に記憶した一部または全ての映像データを保存する手段である。この記憶手段も、一般的なメモリだが、映像データ一時記憶部１５の記憶容量に比べてかなり大容量である（例えば、３ヶ月分の映像データに相当する容量）。また、新しい映像データで古い映像データを上書きしてもよいし、上書きせずに、磁気テープメモリ等のリムーバブルなメモリで保存するようにしてもよい。
【００３３】
なお、インターホン子機２、映像カメラ４から受信した映像データの保存条件は、端末制御部１０内に記憶されている。映像保存条件としては、例えば、前記人検知情報を受信してから予め定められた時間が経過しても、インターホン子機２の呼出スイッチ２４が押下されず、かつ郵便／宅配ＢＯＸ６から収納に係る情報を受信しない場合には、映像カメラ４の映像データを保存するといった条件を予め設定しておくことが可能である。
【００３４】
また、映像データ一時記憶部１５と映像データ保存部１６は、同一の記憶部とし、保存すべき映像データは、上書きを禁止するようにしてもよい（図示せず）。この場合、映像データ毎に、確認した上で、保存が不要な映像データの上書き禁止を解除すれば、記憶容量を柔軟かつ有効に活用できる。
【００３５】
表示部１７は、ＬＥＤ、ＬＣＤ等の表示デバイスである。インターホン子機２が人を検知した場合に、呼出スイッチ２４が押下されたか否かに関わらず、映像カメラ４からの映像データが表示部１７に表示されるので、インターホン親機１の操作者は、その場で挙動が不審か否かをモニターできる。
【００３６】
図３は、インターホン子機（人検知センサ内蔵／映像カメラ内蔵）２の内部ブロック構成図である。インターホン子機２は、端末制御部２０、通信制御部２１、映像カメラ２２、アングル／ズーム制御部２３、呼出スイッチ２４、通話マイク／スピーカ２５、人検知センサ２６から構成される。
【００３７】
端末制御部２０は、インターホン子機２の制御全般を実行する手段である。端末制御部２０は、人が存在しているか否かを検知する人検知センサ２６から人の存在に係る人検知情報を受信すると、呼出スイッチ２４が押下されたか否かに関わらず、映像カメラ２２が撮像した映像データをインターホン親機１へ送信するように各部を制御する。また、端末制御部２０は、インターホン親機１から映像カメラ２２を制御するカメラ制御コマンドを受信した場合には、アングル／ズーム制御部２３を介して、前記インターホン親機１から受信したカメラ制御コマンドの内容に応じて、映像カメラ２２の起動／停止、アングル／ズーム制御、監視エリアの登録を実行する。
【００３８】
通信制御部２１は、ＬＡＮを介して接続されているインターホン親機１と映像データや制御データを送受信する通信手段である。
【００３９】
映像カメラ２２は、自インターホン子機の近傍を撮像する映像カメラである。人検知センサ２６が人の存在を検知した場合には、呼出スイッチ２４が押下されたか否かに関わらず、撮像した映像データをインターホン親機１へ送信する。
【００４０】
アングル／ズーム制御部２３は、端末制御部２０からの指示により、映像カメラ２２の起動／停止、アングル／ズーム制御、監視エリアの登録を制御する手段である。
【００４１】
呼出スイッチ２４は、来訪者がインターホン親機１側の者を呼び出す際に押下するスイッチである。
【００４２】
通話マイク／スピーカ２５は、インターホン親機１が備える通話マイク／スピーカ１３と同様であり、詳細説明は割愛する。
【００４３】
図４は、郵便／宅配ＢＯＸ（収納センサ内蔵）５の内部ブロック構成図である。郵便／宅配ＢＯＸ５は、収納判定部５０、通信制御部５１、投入センサ５２、重量計５３、郵便受５４、配達物投入口５５から構成される。なお、郵便／宅配ＢＯＸ５は、郵便物専用のＢＯＸと、宅配物専用のＢＯＸに分離されていてもよい。
【００４４】
収納判定部５０は、投入センサ５２および重量計５３から受信した情報をもとに、自郵便／宅配ＢＯＸ５に新規郵便物または配達物が収納されたか否か、または郵便物または配達物が収納されているか否かを判定する手段であって、前記判定した収納に係る情報を、通信制御部５１，ＬＡＮを介してインターホン親機１へ送信する。
【００４５】
通信制御部５１は、ＬＡＮを介してインターホン親機１と収納に係る情報を送受信する通信手段である。
【００４６】
投入センサ５２は、郵便受５４または配達物投入口５５の開閉を検知するセンサであって、投入センサ５２が郵便受５４または配達物投入口５５の開閉を検知した場合には、前記検知した郵便受５４または配達物投入口５５の開閉に係る情報を、収納判定部５０へ送信する。
【００４７】
重量計５３は、郵便物の配達員や宅配便の配達員が収納した郵便物（封書／ハガキ５６）または配達物（配達物５７）の重量を測定する重量計であって、封書／ハガキ５６や配達物５７の重量を測定し、測定した重量を収納判定部５０へ出力する。
【００４８】
ここで、収納判定部５０が新規郵便物または配達物が収納されたか否かを判定する方法は、例えば、投入センサ５２から郵便受５４の開閉に係る情報を受信し、かつ重量計５３から受信した重量測定値が増加している場合には、新規郵便物（封書／ハガキ５６）が収納されたと判定し、投入センサ５２から配達物投入口５５の開閉に係る情報を受信し、かつ重量計５３から受信した重量測定値が増加している場合には、配達物（配達物５７）が収納されたと判定すればよい。
【００４９】
なお、本実施例において収納判定部５０は、投入センサ５２および重量計５３から受信した情報をもとに、新規郵便物または配達物が収納されたか否かを判定する構成としているが、その限りではない。例えば、新規郵便物または配達物の到着を監視するための映像カメラを自郵便／宅配ＢＯＸ５の近傍に設置または内蔵し、前記映像カメラが撮像した画像を解析して、新規郵便物または配達物が収納されたか否かを判定する構成としてもよい。
【００５０】
図５は、本発明のインターホン親機１の動作フローチャートである。本フローは、電源が投入された状態でスタートする（Ｓ５００）。
【００５１】
Ｓ５１０において、映像データ一時記憶部１５は、端末制御部１０の指示により、インターホン子機２およびまたは映像カメラ４から通信制御部１１を介して受信した映像データの一時記憶を開始する。
【００５２】
Ｓ５２０において、映像データ一時記憶部１５に一時記憶を開始した映像データが、インターホン子機２から受信した映像データである場合（Ｓ５２０，ＹＥＳ）、Ｓ５２１へ進む。Ｓ５２０でＮＯの場合、Ｓ５２３へ進む。
【００５３】
ここで、インターホン子機２は、人が存在しているか否かを検知する人検知センサ２６を具備し、人の存在を検知した場合に、呼出スイッチ２４が押下されたか否かに関わらず、映像カメラ２２で撮像した映像データをインターホン親機１へ送信するように構成されているので、Ｓ５２０でＹＥＳの場合とは、インターホン子機２の人検知手段が人の存在を検知した場合である。
【００５４】
Ｓ５２３において、端末制御部１０が、インターホン子機２から人検知信号を受信した場合（Ｓ５２３，ＹＥＳ）、Ｓ５２１へ進む。Ｓ５２３でＮＯの場合、Ｓ５６０へ進む。
【００５５】
ここで、Ｓ５２３でＹＥＳの場合とは、インターホン子機２から映像データを受信していない状態（Ｓ５２０，ＮＯ）で、人検知信号を受信した場合であって、例えば、インターホン子機２が一般的な赤外線等による人検知手段（人感センサ）は具備しているが、内蔵カメラは具備していない機器の場合である。
【００５６】
Ｓ５２１において、端末制御部１０は、タイマー１４を起動し、所定時間内（例えば、１分）に、インターホン子機２の呼出スイッチ２４が押下されたか否か、および郵便／宅配ＢＯＸ５に新規郵便物または配達物が収納されたか否かの監視を開始し、Ｓ５２２へ進む。
【００５７】
Ｓ５２２において、端末制御部１０は、表示部１７およびまたは通信制御部１１、ＬＡＮを介した監視映像収集表示装置３に対して、映像カメラ４から受信した映像データの表示を指示し、前記指示を受信した表示部１７およびまたは監視映像収集表示装置３は、前記映像カメラ４からインターホン親機１が受信した映像データの表示を開始し、Ｓ５３０へ進む。
【００５８】
なお、本実施例において端末制御部１０には、インターホン子機２の人検知センサ２６が人の存在を検知してから、インターホン子機２の呼出スイッチ２４が押下されるまでの間、表示部１７およびまたは監視映像収集表示装置３に、映像カメラ４が撮像している映像を表示するように予め設定されているものとして説明しているが、その限りではない。端末制御部１０には、インターホン子機２および映像カメラ４の設置場所や使用目的に応じて、表示部１７および監視映像収集表示装置３に表示する映像の条件を設定しておくことが可能なので、例えば、インターホン子機２が内蔵する映像カメラ２２、映像カメラ４で撮像した映像を、順次切り替えて表示するように登録しておくことも可能である。
【００５９】
Ｓ５３０において、端末制御部１０が、インターホン子機２から呼出信号を受信した場合（Ｓ５３０，ＹＥＳ）、Ｓ５３１へ進む。Ｓ５３０でＮＯの場合、Ｓ５４０へ進む。
【００６０】
Ｓ５３１において、端末制御部１０は、通話マイク／スピーカ１３を制御して、インターホン親機１の管理者を呼び出すための呼出鳴動を開始し、Ｓ５３２へ進む。
【００６１】
Ｓ５３２において、端末制御部１０は、操作部１２から応答操作があった場合（Ｓ５３２，ＹＥＳ）、Ｓ５３３へ進む。Ｓ５３２でＮＯの場合は、Ｓ５３２へ戻り、応答操作の監視を継続する。
【００６２】
なお、Ｓ５３２で呼出に対する応答操作を一定期間監視しても、インターホン親機１の管理者が応答しない場合（Ｓ５３２，ＮＯ）、即ちインターホン親機１の管理者が不在等の場合に、一般的なインターホンシステムと同様に、インターホン子機２が内蔵する映像カメラ２２が撮像した呼出スイッチ２４を押下した来訪者を撮像した映像データを保存しておくようにしてもよい（図示せず）。
【００６３】
Ｓ５３３において、端末制御部１０は、通話マイク／スピーカ１３を制御して、呼出鳴動を停止し、インターホン子機２との通話機能を起動し、Ｓ５３４へ進む。
【００６４】
Ｓ５３４において、端末制御部１０は、通話マイク／スピーカ１３を使用して通話しているインターホン親機１の管理者、またはインターホン子機２から通話終了の指示を受信した場合（Ｓ５３４，ＹＥＳ）、Ｓ５３５へ進む。Ｓ５３４でＮＯの場合は、Ｓ５３４へ戻り、通話終了の監視を継続する。
【００６５】
Ｓ５３５において、端末制御部１０は、通話マイク／スピーカ１３を制御して、インターホン子機２との通話機能を停止し、Ｓ５５２へ進む。
【００６６】
Ｓ５４０において、端末制御部１０が、郵便／宅配ＢＯＸ５から収納に係る情報を受信した場合（Ｓ５４０，ＹＥＳ）、Ｓ５４１へ進む。Ｓ５４０でＮＯの場合、Ｓ５５０へ進む。
【００６７】
Ｓ５４１において、端末制御部１０は、自インターホン親機１の表示部１７およびまたは通信制御部１１、ＬＡＮを介した監視映像収集表示装置３に対して、新規郵便物または配達物の到来に関わる情報を表示し、Ｓ５５２へ進む。
【００６８】
Ｓ５５０において、端末制御部１０はタイマー１４を参照し、セットしたタイマー値（例えば、１分）が満了している場合（Ｓ５５０，ＹＥＳ）、Ｓ５５１へ進む。Ｓ５５０でＮＯの場合は、Ｓ５３０へ戻り、インターホン子機２の呼出スイッチ２４が押下されたか否か、および郵便／宅配ＢＯＸ５に新規郵便物または配達物が収納されたか否かの監視を継続する。
【００６９】
ここで、Ｓ５５０でＹＥＳの場合とは、インターホン子機２から人検知情報を受信してから予め定められた時間（例えば、１分）が経過しても、インターホン子機２の呼出スイッチ２４が押下されず、かつ郵便／宅配ＢＯＸ５から収納に係る情報を受信しない場合であり、挙動不審の可能性が高い。即ち、この間の、インターホン子機２が内蔵する映像カメラ２２およびまたは映像カメラ４で撮像した映像データには、不審者が映っている可能性が高い。
【００７０】
Ｓ５５１において、映像データ保存部１６は、端末制御部１０の指示により、映像データ一時記憶部１５に一時的に記憶した一部または全ての映像データを保存し、Ｓ５５２へ進む。なお、映像データの保存は、上書きを禁止する設定（例えば、上書禁止フラグＯＮ）でもよい。
【００７１】
Ｓ５５２において、端末制御部１０は、Ｓ５２１で起動したタイマー１４を停止し、Ｓ５６０へ進む。
【００７２】
Ｓ５６０において、操作部１２、監視映像収集表示装置３、ＷＡＮを介して接続されている装置のいずれかから、インターホン子機２の映像カメラ２２を操作する制御指示を受信した場合（Ｓ５６０，ＹＥＳ）、Ｓ５６１へ進む。Ｓ５６０でＮＯの場合は、Ｓ５６１をスキップしてＳ５２０へ戻る。
【００７３】
Ｓ５６１において、端末制御部１０は、前記インターホン子機２の映像カメラ２２を操作する制御指示の内容に従ったカメラ制御コマンドをインターホン子機２へ送信し、Ｓ５２０へ戻る。
【００７４】
図６は、本発明のインターホン子機２の動作フローチャートである。本フローは、電源が投入された状態でスタートし（Ｓ６００）、待機状態において、Ｓ６１０，Ｓ６２０，Ｓ６３０，Ｓ６４０，Ｓ６５０の各イベントの有無を監視する。
【００７５】
Ｓ６１０において、人が存在しているか否かを検知する人検知センサ２６が人の存在を検知した場合（Ｓ６１０，ＹＥＳ）、Ｓ６１１へ進む。Ｓ６１０でＮＯの場合、Ｓ６２０へ進む。なお、人検知センサ２６は、赤外線を検知する焦電デバイスの適用が一般的だが、例えば、インターホン子機２が内蔵する映像カメラ２２が撮像した画像を解析して人の存在を認識するようにしてもよい。
【００７６】
Ｓ６１１において、端末制御部２０は、検知した人の存在に係る人検知情報をインターホン親機１へ送信するとともに、インターホン親機１に対して予め登録された監視モードの撮像エリアを映像カメラ２２で撮像した映像データの送信を開始し、Ｓ６２０へ進む。
【００７７】
Ｓ６２０において、通信制御部２１，ＬＡＮを介して、インターホン親機１から子機カメラ制御コマンドを受信した場合（Ｓ６２０，ＹＥＳ）、Ｓ６２１へ進む。Ｓ６２０でＮＯの場合、Ｓ６３０へ進む。
【００７８】
Ｓ６２１において、端末制御部２０は、インターホン親機１から受信した子機カメラ制御コマンドで指定された内容に応じて、映像カメラ２２の起動／停止、アングル／ズームを制御したり、監視エリアの登録を実行し、Ｓ６３０へ進む。
【００７９】
Ｓ６３０において、端末制御部２０が呼出スイッチ２４の押下を検出した場合（Ｓ６３０，ＹＥＳ）、Ｓ６３１へ進む。Ｓ６３０でＮＯの場合、Ｓ６４０へ進む。
【００８０】
Ｓ６３１において、端末制御部２０は、通信制御部２１、ＬＡＮを介したインターホン親機１に対して呼出信号を送信するとともに、映像カメラ２２のアングル／ズームを予め登録された押下者モード（呼出スイッチ２４を押下した者（来訪者）を撮像するモード）に切り替え、Ｓ６４０へ進む。
【００８１】
なお、本実施例において端末制御部２０には、呼出スイッチ２４が押下された場合、映像カメラ２２の撮像エリアを監視モードから押下者モードの撮像エリアに切り替えるように予め登録されているものとして説明しているが、その限りではない。例えば、監視モードと押下者モードを定期的（例えば、５秒）に切り替えて撮像するように登録しておくことも可能である。
【００８２】
Ｓ６４０において、通信制御部２１，ＬＡＮを介して、インターホン親機１から応答信号を受信した場合（Ｓ６４０，ＹＥＳ）、Ｓ６４１へ進む。Ｓ６４０でＮＯの場合、Ｓ６５０へ進む。
【００８３】
Ｓ６４１において、端末制御部２０は、通話マイク／スピーカ２５を起動して、呼出スイッチ２４を押下した者（来訪者）と、インターホン親機１を操作する管理者との通話を開始させ、Ｓ６５０へ進む。
【００８４】
Ｓ６５０において、通話マイク／スピーカ２５を使用して通話している呼出スイッチ２４を押下した者（来訪者）、またはインターホン親機１から通話終了コマンドを受信した場合（Ｓ６５０，ＹＥＳ）、Ｓ６５１へ進む。Ｓ６５０でＮＯの場合、Ｓ６１０へ戻る。
【００８５】
なお、インターホン子機２側で通話を終了する方法については、例えば、呼出スイッチ２４を再度押下することにより、端末制御部２０に対して通話終了コマンドが送信されるように構成すればよい。
【００８６】
Ｓ６５１において、端末制御部２０は、通話マイク／スピーカ２５を停止して、呼出スイッチ２４を押下した者（来訪者）と、インターホン親機１を操作する管理者との通話を終了するとともに、映像カメラ２２のアングル／ズームを予め登録された監視モードに戻し、Ｓ６１０へ戻る。
【００８７】
以上、本発明の実施形態について説明した。本発明によれば、所定の箇所を撮像する映像カメラと連動し、郵便物の配達員や宅配便の配達員のようなインターホン子機の呼出スイッチを押下しない正規の来訪者を識別し、不審者が映っていると思われる映像データのみを蓄積していくインターホンシステムを提供することができる。
【００８８】
なお、本実施例においては、インターホン親機１がインターホン子機２から人検知情報を受信してから、インターホン子機２の呼出スイッチ２４が押下されたか否か、および郵便／宅配ＢＯＸ５に新規郵便物または配達物が収納されたか否かを監視する監視時間を、予め定められた時間としているが、本発明はこれに限定されない。
【００８９】
例えば、複数のインターホン子機２が設置されている場合や、インターホン子機２だけでなく、映像カメラ４も、人が存在しているか否かを検知する人検知手段を具備した機器である場合に、インターホン親機１で前記人検知手段を具備した複数の機器の人検知情報を取得し、前記取得した複数の機器の人検知情報をもとにインターホン子機２の呼出スイッチ２４が押下されたか否か、および郵便／宅配ＢＯＸ５に新規郵便物または配達物が収納されたか否かを監視する監視時間、および映像保存条件を自動的に決定する構成としてもよい。
【００９０】
さらに、インターホン親機１に、インターホン子機２、映像カメラ４、郵便／宅配ＢＯＸ５，映像カメラ７が設置されている場所や目的に応じて、インターホン子機２の呼出スイッチ２４が押下されたか否か、郵便／宅配ＢＯＸ５に新規郵便物または配達物が収納されたか否かの監視や、映像データの保存条件を、予め定めた時間帯のみ起動するようにしてもよい。この場合、不要な映像データの保存をさらに削減できる。
【符号の説明】
【００９１】
１・・・インターホン親機
２・・・インターホン子機
３・・・監視映像収集表示装置
４・・・映像カメラ（周辺監視）
５・・・郵便／宅配ＢＯＸ
６・・・ゲートウェイ
７・・・映像カメラ（各所監視）
１０・・・端末制御部
１１・・・通信制御部
１２・・・操作部
１３・・・通話マイク／スピーカ
１４・・・タイマー
１５・・・映像データ一時記憶部
１６・・・映像データ保存部
１７・・・表示部
２０・・・端末制御部
２１・・・通信制御部
２２・・・映像カメラ
２３・・・アングル／ズーム制御部
２４・・・呼出スイッチ
２５・・・通話マイク／スピーカ
２６・・・人検知センサ
５０・・・収納判定部
５１・・・通信制御部
５２・・・投入センサ
５３・・・重量計
５４・・・郵便受
５５・・・配達物投入口
５６・・・封書／ハガキ
５７・・・配達物
【図１】
2017169157.tif 000003
【図２】
2017169157.tif 000004
【図３】
2017169157.tif 000005
【図４】
2017169157.tif 000006
【図５】
2017169157.tif 000007
【図６】
2017169157.tif 000008